(57)【要約】【課題】製氷運転時に製氷水が無駄に排出されるのを防止する。【解決手段】水皿１２の裏面に、戻り孔群および戻し口群の形成領域より開放端側に、製氷水タンク側に向けて突出する規制板４４が幅方向に延在するように設けられる。規制板４４は、製氷水タンク１４の内部幅方向の全長に亘って延在するよう寸法設定され、該タンク１４内を、戻り孔群および戻し口群の形成領域に臨む第１貯留領域Ｓ１と、排出口４０が臨む第２貯留領域Ｓ２とに仕切っている。規制板４４の延出端部は、製氷運転時には製氷水タンク１４に貯留されている製氷水に浸漬するよう設定され、戻り孔や戻し口３８から落下する製氷水により第１貯留領域Ｓ１の製氷水が波立った際に、波が第２貯留領域Ｓ２に波及するのを規制板４４で規制して排出口４０から製氷水が排出されるのを防止する。【選択図】図１
2008180467.tif 000002
【特許請求の範囲】
【請求項１】
下向きに開口する多数の製氷小室(10a)を画成した製氷室(10)と、各製氷小室(10a)に対応する噴射孔(26)および戻り孔(28)を有し、前記製氷小室(10a)を下方から閉成する閉成位置および該製氷小室(10a)を開放する開放位置の間を傾動される水皿(12)と、該水皿(12)の下側に配設されて一体的に傾動する製氷水タンク(14)とを備え、製氷運転に際して前記水皿(12)を閉成位置に保持した状態で製氷水タンク(14)に貯留されている製氷水を噴射孔(26)から製氷小室(10a)に噴射供給すると共に製氷小室(10a)内で氷結に至らなかった製氷水は前記戻り孔(28)を介して製氷水タンク(14)に回収して再循環に供し、除氷運転に際して前記水皿(12)を開放位置まで傾動して製氷水タンク(14)内の製氷水を該タンク(14)の排出口(40)を介して排出するようにした噴射式自動製氷機において、
前記水皿(12)における戻り孔群の形成領域と前記製氷水タンク(14)の排出口(40)との間に臨む水皿(12)の裏面に、製氷水タンク(14)側に延出する規制板(44)を設け、
前記規制板(44)の延出端部が、製氷運転に際して製氷水タンク(14)に貯留されている製氷水に浸漬するようにした
ことを特徴とする噴射式自動製氷機。
【請求項２】
前記規制板(44)は、前記製氷水タンク(14)の内底面に当接する位置決め部(44a)を備える請求項１記載の噴射式自動製氷機。
【請求項３】
前記規制板(44)は、前記製氷水タンク(14)の内部幅方向の全長に亘って延在すると共に、該規制板(44)と製氷水タンク(14)の内底面との間に、規制板(44)で仕切られた戻り孔群が臨む貯留領域(S1)と前記排出口(40)が臨む貯留領域(S2)とを連通する通路(46)が画成されている請求項１または２記載の噴射式自動製氷機。
【発明の詳細な説明】
【技術分野】
【０００１】
本発明は、噴射式自動製氷機に関し、更に詳しくは、製氷室における下方に開放する多数の製氷小室を水皿で閉成した状態で、製氷水タンクに貯留されている製氷水を水皿の噴射孔から製氷小室に噴射供給して氷塊を生成する製氷運転と、水皿を開放位置に傾動して製氷水タンク内の製氷水を排出すると共に製氷小室から離氷させる除氷運転とを繰り返す噴射式自動製氷機に関するものである。
【背景技術】
【０００２】
噴射式自動製氷機の基本的な構成は、例えば、特許文献１に開示されるように、下方に開口する多数の製氷小室が画成された製氷室の上面に、冷凍系に連通する蒸発管が密着的に蛇行配置され、製氷運転時に蒸発管に冷媒を循環させて製氷小室を強制冷却するようになっている。製氷室の直下には、所定量の製氷水を貯留する製氷水タンクを備えた水皿が、支軸により傾動可能に枢支されている。水皿および製氷水タンクは、製氷運転時には水平な閉成位置に保持されて製氷小室を下側から閉成し、除氷運転時には水皿開閉機構により付勢されて支軸を中心として傾動し、製氷小室を開放する開放位置に保持されるようになっている。また水皿には、製氷小室の夫々と対応位置して、噴射孔および戻り孔が多数穿設されており、製氷運転に際して製氷水タンクに設けたポンプを作動することで、製氷水が水皿に圧送されて各噴射孔から冷却されている対応の製氷小室に噴射されて、該製氷小室内に氷塊を生成するよう構成されている。なお、製氷小室で氷結するに至らなかった製氷水(以後、未氷結水ともいう)は、前記戻り孔を介して製氷水タンクに回収し、再びポンプによって製氷小室に噴射するよう循環させている。
【０００３】
また噴射式自動製氷機は、製氷運転が完了して水皿を開放位置に傾動することで、製氷運転時に氷結することなく製氷水タンクに残留している製氷水(以後、製氷残水ともいう)を、該製氷水タンクに設けた排出口から排出するよう構成される。
【特許文献１】特開２００３−２２７６６７号公報
【発明の開示】
【発明が解決しようとする課題】
【０００４】
前述したように、製氷運転時には製氷小室で氷結しなかった未氷結水が戻り孔から製氷水タンク内に落下するため、該未氷結水の落下により製氷水タンクに貯留されている製氷水が波立っている。この場合に、特に製氷初期においては製氷水タンク内における製氷水の水位が高いため、波立ちによって製氷水タンクの排出口に製氷水が流れ込んでしまい、無駄に製氷水が排出されてしまうことがある。
【０００５】
ここで、製氷運転に際して製氷水不足が生ずると白濁氷が生成されるおそれがあるため、前述したように製氷運転時に排出口から排出されてしまう製氷水の量を見込んで、製氷運転のために供給される製氷水の量は多目に設定されている。しかるに、除氷運転に際して製氷水タンク内の製氷残水は全て排出されるため、多目に設定した分だけ無駄に排出される製氷水の量が増加してしまい、ランニングコストが嵩む問題を招くこととなっていた。
【０００６】
すなわちこの発明は、従来の技術に内在する前記課題に鑑み、これを好適に解決するべく提案されたものであって、製氷運転時に製氷水が無駄に排出されるのを防止し得る噴射式自動製氷機を提供することを目的とする。
【課題を解決するための手段】
【０００７】
前記課題を克服し、所期の目的を好適に達成するため、本願の請求項１の発明に係る噴射式自動製氷機は、
下向きに開口する多数の製氷小室を画成した製氷室と、各製氷小室に対応する噴射孔および戻り孔を有し、前記製氷小室を下方から閉成する閉成位置および該製氷小室を開放する開放位置の間を傾動される水皿と、該水皿の下側に配設されて一体的に傾動する製氷水タンクとを備え、製氷運転に際して前記水皿を閉成位置に保持した状態で製氷水タンクに貯留されている製氷水を噴射孔から製氷小室に噴射供給すると共に製氷小室内で氷結に至らなかった製氷水は前記戻り孔を介して製氷水タンクに回収して再循環に供し、除氷運転に際して前記水皿を開放位置まで傾動して製氷水タンク内の製氷水を該タンクの排出口を介して排出するようにした噴射式自動製氷機において、
前記水皿における戻り孔群の形成領域と前記製氷水タンクの排出口との間に臨む水皿の裏面に、製氷水タンク側に延出する規制板を設け、
前記規制板の延出端部が、製氷運転に際して製氷水タンクに貯留されている製氷水に浸漬するようにしたことを特徴とする。
請求項１の発明によれば、戻り孔から製氷水タンク内に落下する製氷水により発生する波立ちが、排出口側に波及するのを規制板で規制し得るから、製氷運転中に製氷水が無駄に排出されるのを防止し得る。従って、各製氷運転のために供給する製氷水の量を低減することができ、ランニングコストを低廉に抑え得る。
【０００８】
請求項２に係る発明では、前記規制板は、前記製氷水タンクの内底面に当接する位置決め部を備えることを要旨とする。
請求項２の発明によれば、水皿と製氷水タンクとの組付けに際して、位置決め部により両者の正確な位置決めを行なうことができる。
【０００９】
請求項３に係る発明では、前記規制板は、前記製氷水タンクの内部幅方向の全長に亘って延在すると共に、該規制板と製氷水タンクの内底面との間に、規制板で仕切られた戻り孔群が臨む貯留領域と前記排出口が臨む貯留領域とを連通する通路が画成されていることを要旨とする。
請求項３の発明によれば、規制板により水皿の強度を向上することができる。
【発明の効果】
【００１０】
本発明に係る噴射式自動製氷機によれば、製氷運転時に製氷水が無駄に排出されるのを防止し、ランニングコストを低減することができる。
【発明を実施するための最良の形態】
【００１１】
次に、本発明に係る噴射式自動製氷機につき、好適な実施例を挙げて、添付図面を参照して以下に説明する。なお、以下の説明において前・後とは、特に断りのない限り、図２に示すように製氷ユニットを正面側から見た場合において指称するものとする。
【実施例】
【００１２】
実施例に係る噴射式自動製氷機は、全体が略箱形をなす筐体の内部に、所要形状の貯氷室が画成されると共に、筐体の内部上方には、図２に示す如き製氷室１０,水皿１２および製氷水タンク１４等からなる製氷ユニット１６が配設されている。すなわち、筐体の頂部に水平に配置した取付枠１８の下方に、下向きに開口する多数の製氷小室１０ａを画成した製氷室１０が固定支持されると共に、この製氷室１０の上面に、図示しない冷凍系に連通する蒸発管２０が密着的に蛇行配置され、製氷運転時に該蒸発管２０に冷媒を循環させて前記製氷小室１０ａを強制冷却するようになっている。また製氷室１０の直下には、製氷水を貯留する製氷水タンク１４が下部に配設された水皿１２が、支軸２２により片持式に傾動可能に枢支され、アクチュエータモータやカムアーム等からなる水皿開閉機構２４により該水皿１２が付勢されて、支軸２２を支点として傾動して製氷小室１０ａ(製氷室１０)を下方から閉成する閉成位置(図１,図２参照)と、製氷室１０から下方に傾動して製氷小室１０ａ(製氷室１０)を開放する開放位置(図６,図７参照)との間を傾動するよう構成される。なお、前記水皿１２は、筐体の前後方向に延在する支軸２２により図２における左端が片持式に枢支され、右端部側が上下方向に傾動するようになっている。実施例では、水皿１２および該水皿１２と一体的に傾動する製氷水タンク１４について、水皿１２が支軸２２で枢支される一方を傾動枢支側と称し、他方を開放側と指称する。
【００１３】
図３および図４に示す如く、前記水皿１２には、製氷小室１０ａの夫々と対応位置して、噴射孔２６および戻り孔２８が多数穿設されている。また水皿１２の裏面には、分配管３０が設けられ、この分配管３０は前記噴射孔２６と連通している。前記製氷水タンク１４にはポンプモータＰＭが取付けられ、このモータＰＭにより吸入されたタンク内の製氷水は、前記水皿１２の分配管３０に吐出供給され、各噴射孔２６から対応の製氷小室１０ａに噴射されるようになっている。そして製氷小室１０ａで氷結するに至らなかった未氷結水は、前記戻り孔２８を介して製氷水タンク１４に回収され、再びポンプモータＰＭによって製氷小室１０ａに噴射される。
【００１４】
図１および図７に示す如く、前記水皿１２の上方における傾動枢支側に、該水皿１２の傾動方向と交差する幅方向に延在するように給水管３２が配設されており、該給水管３２は、給水弁ＷＶを介して外部水道源に接続されている。給水管３２には、長手方向(幅方向)に所定間隔で複数の給水孔３２ａが開設されており、給水弁ＷＶの開放により各給水孔３２ａから水皿表面に向けて水(水道水)が供給されるようになっている。なお、給水管３２から供給される水は、水皿表面に付着している氷片を融かして洗い流す融氷水、製氷水タンク１４に存在する不純物を洗い流す洗浄水、および製氷運転に際して氷塊生成のための製氷水として用いられる。
【００１５】
前記水皿１２における給水管３２の各給水孔３２ａと対応する位置の夫々に、前記製氷水タンク１４に連通する連通孔３４が形成されている。各連通孔３４は、図１に示す如く、前記水皿１２が閉成位置に保持されている状態においては対応する給水孔３２ａから供給される水を受入れず、かつ水皿１２が閉成位置と開放位置との間の傾動途中から開放位置までの間の傾斜状態においては対応する給水孔３２ａから供給される水を受入れる位置に設けられている(図６参照)。すなわち、実施例では水皿１２の閉成位置において給水孔３２ａから供給される水は、連通孔３４の形成位置より傾動枢支側の水皿表面に向けて供給され、該水が水皿表面を流下するようになっている。また水皿１２の表面には、図３に示す如く、平面視において開放端側に開放するＵ字状の仕切り壁３６が各連通孔３４を囲むように突設されている。すなわち、連通孔３４の形成位置より傾動枢支側の水皿表面に向けて供給された水が、連通孔３４に流入するのを仕切り壁３６によって規制して、全ての水を連通孔３４の形成位置より開放端側に流下させるよう構成してある。なお、前記給水管３２における複数の給水孔３２ａは、水皿１２における幅方向の全域に亘って水を供給し得るように設けられると共に、水皿１２における複数の連通孔３４も、該連通孔３４を介して製氷水タンク１４内に入る水が幅方向の全域に亘って供給されるように設けられている。
【００１６】
前記水皿１２には、図３に示す如く、最も開放端側に位置する噴射孔２６および戻り孔２８と開放端との間、すなわち噴射孔群および戻り孔群が形成される形成領域より開放端側に、製氷水タンク１４に連通する複数の戻し口３８が、所要のパターンで開設されており、水皿表面に供給された水は、前記戻り孔２８のみでなく戻し口３８からも製氷水タンク１４に落下するよう構成される。なお、実施例においては、幅方向に離間する複数の戻し口３８からなる戻し口列が、傾斜方向の前後に２列で設けられると共に、前後の戻し口列が幅方向にずれて位置し、水皿表面を流下する略全ての水を戻し口３８から製氷水タンク１４に落下させるようになっている。また、製氷水タンク１４の開放端は、図１に示す如く、水皿１２の開放端より外方に延出するよう設定され、仮に戻し口３８を越えて水皿１２の開放端から水が流下しても、該水を製氷水タンク１４に受入れ得るよう構成してある。
【００１７】
前記製氷水タンク１４の開放端側には、図５に示す如く、幅方向の略中央で開口する排出口４０が形成され、該排出口４０を介して製氷残水が排出されるよう構成される。この排出口４０は、図１に示す如く、前記水皿１２が閉成位置に保持されている状態では、製氷水タンク１４の内底面から所定高さ位置に臨んで、該排出口４０の開口レベルまでは製氷水を貯留し得るようになっている。また、図６に示す如く、水皿１２が開放位置に保持されている状態で、前記排出口４０は製氷水タンク１４の最下部に位置し、製氷水タンク１４内の製氷残水を全て排出し得るよう構成される。なお、製氷水タンク１４から排出される製氷残水は、ドレンパン４２(図７参照)を介して機外に排出される。
【００１８】
前記水皿１２の裏面には、開放端側に位置する戻し口列と開放端との間、すなわち戻り孔群および戻し口群の形成領域より開放端側に、製氷水タンク側に向けて突出する規制板４４が幅方向に延在するように設けられ、該規制板４４は、製氷水タンク１４の前記排出口４０より傾動枢支側に臨むよう位置決めされている。また規制板４４は、製氷水タンク１４の内部幅方向の全長に亘って延在するよう寸法設定されて、該タンク１４内を、前記戻り孔群および戻し口群の形成領域に臨む第１貯留領域Ｓ１と、前記排出口４０が臨む第２貯留領域Ｓ２とに仕切っている。更に、規制板４４の延出端部は、製氷運転時には製氷水タンク１４に貯留されている製氷水に浸漬するよう設定され、戻り孔２８や戻し口３８から落下する製氷水により第１貯留領域Ｓ１の製氷水が波立った際に、該波が第２貯留領域Ｓ２に波及するのを該規制板４４で規制して排出口４０から製氷水が排出されてしまうのを防止するべく機能する。
【００１９】
前記規制板４４には、図５に示す如く、製氷水タンク１４における排出口４０と対応する位置および幅寸法で、更にタンク内底面に向けて突出する位置決め部４４ａが形成されており、該位置決め部４４ａの下端が製氷水タンク１４の内底面に当接するよう構成されている。そして、水皿１２と製氷水タンク１４との組付けに際し、位置決め部４４ａによって水皿１２と製氷水タンク１４との位置決めがなされるようになっている。なお、規制板４４における位置決め部４４ａの左右両側に位置する下端縁と製氷水タンク１４の内底面との間には、前記第１貯留領域Ｓ１と第２貯留領域Ｓ２とを連通する通路４６,４６が画成され、製氷水タンク１４が傾動した際に製氷残水は、該通路４６,４６を介して第１貯留領域Ｓ１から第２貯留領域Ｓ２に移動して排出口４０からの排出が許容されるよう構成してある。
【００２０】
前記給水弁ＷＶは、製氷運転の完了を製氷検知手段(図示せず)が検知して除氷運転に切換えられることで水皿１２が開放位置に向けて傾動を開始して所定角度(但し、給水孔３２ａから供給される水が連通孔３４に受入れられない傾斜状態)だけ傾動した際に開放されると共に、給水孔３２ａから供給される水が連通孔３４に受入れられる傾斜状態となる直前あるいはなったときに閉成されるように制御される。また給水弁ＷＶは、除氷運転の完了を除氷検知手段(図示せず)が検知して水皿１２が閉成位置に向けて傾動を開始するのと同時に開放されると共に、図示しないタイマによって所定時間後に閉成されるように制御される。
【００２１】
〔実施例の作用〕
次に、実施例に係る噴射式自動製氷機の作用につき説明する。
【００２２】
噴射式自動製氷機の製氷運転に際し、前記水皿１２は、図１および図２に示す如く、前記製氷小室１０ａを下方から閉成する閉成位置に保持されており、蒸発管２０に冷媒が循環して製氷小室１０ａの強制冷却がなされる。また製氷水タンク１４の製氷水が、ポンプモータＰＭにより分配管３０および噴射孔２６を介して製氷小室１０ａに噴射供給される。製氷小室１０ａは冷却されているので、製氷水は製氷小室内壁に接触して冷却された後、水皿１２の戻り孔２８から流下して製氷水タンク１４に帰還する。このように製氷水が製氷水タンク１４と製氷小室１０ａとの間を循環するに伴い、製氷水の温度は徐々に下がり、その温度が０℃近くに達すると、製氷小室１０ａの内壁に製氷水の一部が氷結を始める。このように各製氷小室１０ａ内での氷結が徐々に進行し、最終的に密実な氷塊が生成されるに至る。
【００２３】
ここで、製氷運転において前記戻り孔２８から製氷水タンク１４に落下する未氷結水により、該タンク１４に貯留されている製氷水が波立ち、特に製氷初期においては製氷水タンク内の製氷水の水位は、前記排出口４０に近接しているため、製氷水の波立ちによって該製氷水が排出口４０から無駄に排出されてしまうおそれがある。しかるに、実施例の噴射式自動製氷機では、前記水皿１２の裏面に突設した規制板４４が、製氷水タンク１４内における戻り孔群の形成領域に対応する第１貯留領域Ｓ１と、排出口４０が臨む第２貯留領域Ｓ２とを仕切るように、タンク内部の幅方向の全長に亘って延在すると共に製氷水に浸漬している。従って、戻り孔２８から落下する未氷結水により第１貯留領域Ｓ１に貯留されている製氷水が波立っても、該波は規制板４４で規制されて第２貯留領域Ｓ２に波及することはなく、排出口４０から製氷水が無駄に排出されるのは防止される。
【００２４】
製氷運転が進行して製氷小室１０ａに氷塊が生成されると、製氷検知手段がこれを検知して除氷運転に切替わる。すなわち水皿開閉機構２４により、水皿１２および製氷水タンク１４の傾動が開始され、該水皿１２を氷塊が生成されている製氷室１０から下方に離間すると共に、前記蒸発管２０にホットガスを供給して製氷小室１０ａを加温する。このとき、水皿表面には、前記製氷室１０および水皿１２の離間によって生じた氷片がへばりついている。
【００２５】
前記水皿１２が所定角度まで傾動したときに、前記給水弁ＷＶが開放し、前記給水管３２の各給水孔３２ａから水皿表面に向けて常温の水が供給される。このとき、前記水皿１２の各連通孔３４は、対応する給水孔３２ａから供給される水を受入れる位置に臨んでいないので、該水は連通孔３４の形成位置より傾動枢支側の水皿表面に供給される(図１参照)。従って、全ての給水孔３２ａから供給される水は、連通孔３４から製氷水タンク１４に供給されることなく全て水皿表面を流下し、氷片を融かして洗い流すのに利用される。また、各連通孔３４の周囲には仕切り壁３６が立設されているから、傾斜上方から流下する水が連通孔３４に流れ込んでしまうのは該仕切り壁３６で確実に防止し得る。しかも、水皿１２の傾動角度が小さい状態で水皿表面に水を供給するから、該水が水皿表面を流下する速度は遅く、水は水皿表面の略全体に行き渡って流下し、水皿表面の全体を洗浄して平滑な状態に戻すことができる。なお、水皿表面の氷片を洗い流した水は、水皿１２の戻り孔２８や戻し口３８あるいは開放端から製氷水タンク１４に流入する。
【００２６】
ここで、実施例では水皿１２が所定角度まで傾動したときに給水弁ＷＶからの給水を開始したから、水皿表面を流下する水は、製氷室１０または製氷小室１０ａに生成されている氷塊に接触しないから、該水が冷えて氷結してしまうことはない。従って、水皿表面に付着している氷片を効率的に融かして洗い流すことができる。
【００２７】
前記水皿１２が、給水孔３２ａから供給される水が連通孔３４に受入れられる傾斜状態となる前、あるいはなったときに、前記給水弁ＷＶが閉成される。水皿１２が開放位置に至ると、水皿開閉機構２４が停止して水皿１２は開放位置に保持される。また、製氷水タンク１４に残留している製氷残水は、前記排出口４０からドレンパン４２に全排出される。なお、前記規制板４４と製氷水タンク１４の内底面との間には通路４６,４６が画成されているから、前記第１貯留領域Ｓ１の製氷残水は通路４６,４６を介して第２貯留領域Ｓ２に流入して、全ての製氷残水を排出するのに支障はない。また、水皿洗浄に用いられる水の供給を、水皿１２の傾動途中で止めることで、水が無駄に排出されるのを防止することができ、ランニングコストを抑制し得る。
【００２８】
前記除氷運転が進行し、前記製氷室１０から全ての氷塊が落下したことを除氷検知手段が検知すると、前記水皿開閉機構２４が作動し、水皿１２は支軸２２を支点として斜め上方への傾動を開始する。また、給水弁ＷＶが開放されて給水管３２の各給水孔３２ａから水皿表面に向けて水が供給される。このとき、水皿１２に穿設されている各連通孔３４は、図６に示す如く、対応する給水孔３２ａから供給される水を受入れる位置に臨んでいるから、該水は製氷水タンク１４に直接供給される。すなわち、給水管３２から供給される全ての水が、製氷水タンク１４における傾動枢支側における幅方向の全体に亘って供給されるから、製氷水タンク１４内に存在する不純物を確実に洗い流すことができる。この場合に、製氷水タンク１４(水皿１２)の傾動開始時において製氷水タンク１４内に直接供給される水は、その殆どが前記排出口４０から排出されるから、製氷水タンク１４内の不純物の大部分は初期に供給される水と共に洗い流されて排出され、不純物が製氷水タンク１４内に溜まることはない。
【００２９】
前記水皿１２が閉成位置に向けて傾動することで前記排出口４０が上方に変位すると、前記連通孔３４を介して供給された水は排出口４０から排出されることなく製氷水タンク１４内に貯留される。このとき製氷水タンク１４内の不純物は初期の水により洗い流されているから、該タンク１４内には清浄な水が貯留されることとなる。そして、水皿１２が閉成位置に到来することで、前記水皿開閉機構２４が停止して該水皿１２は閉成位置に保持され、製氷運転が開始される。なお、水皿１２が所定の傾斜姿勢まで傾動した以後は、前記給水管３２から供給される水は、連通孔３４から外れた位置の水皿表面に供給され、該水は前記戻り孔２８および戻し口３８を介して製氷水タンク１４に落下する。この場合において、戻し口３８は、水皿表面を流下する略全ての水を製氷水タンク１４に落下させるように形成されているから、該水が水皿１２の開放端から貯氷庫内に飛散するのは防止される。また、前記給水弁ＷＶは、タイマに設定された時間が経過した後に閉成される。なお、この新たな製氷水の供給に際しても、戻り孔２８や戻し口３８から落下する水により製氷水タンク１４内の第１貯留領域Ｓ１で波立ちを生ずるが、前記規制板４４により第２貯留領域Ｓ２に波が波及するのは規制され、製氷水が排出口４０から排出されてしまうのは防止される。
【００３０】
実施例の噴射式自動製氷機では、水皿１２の傾動姿勢によって給水管３２から供給される水を受入れない位置と受入れる位置とに変位する連通孔３４を設けたから、水皿表面に付着した氷片を洗い流すための充分な水量を確保し得ると共に、水皿全面に亘って水を流して氷片を確実に洗い流すことができる。また、製氷水タンク１４における傾動枢支側の幅方向の全体に水を直接供給してタンク洗浄を行なうこともできるから、不純物の残留を抑制して、常に清浄な製氷水を用いて製氷運転を行ない得る。
【００３１】
実施例の噴射式自動製氷機では、水皿１２の裏面に設けた規制板４４により、製氷運転時に発生する波立ちに起因する排出口４０からの製氷水の無駄な排出を防止することができる。従って、製氷運転毎に供給する製氷水の量を少なくして製氷水の消費量を抑制することができ、ランニングコストを低減し得る。更に、規制板４４により水皿１２の剛性を高めることができると共に、製氷水タンク１４との位置決めを行ない得る。すなわち、波立ちを抑制するべく機能する規制板４４を、水皿強度の向上、および位置決め部材として兼用することができるから、専用の部材を設けることによる製造コストの上昇を抑制することができる。
【００３２】
〔変更例〕
本願は前述した実施例の構成に限定されるものでなく、その他の構成を適宜に採用することができる。
１． 実施例では、規制板における幅方向の中央に１つの位置決め部を形成したが、該位置決め部は複数であってもよく、例えば櫛歯状等であってもよい。
２． 実施例では、規制板に位置決め部を形成して製氷水タンクの内底面に当接させるようにしたが、規制板は製氷水タンクの内底面に当接しない延出寸法に設定されるものであってもよい。
３． 実施例では、連通孔を囲む仕切り壁として、水皿の開放端側に向けて開放したＵ字状としたが、連通孔に水が流入するのを防止し得る形状であれば、その他の形状であってもよく、または連通孔の全周を囲むものであってもよい。
４． 実施例では、連通孔を囲む仕切り壁を突設した場合で説明したが、該仕切り壁を省略することも可能である。
５． 実施例では、製氷運転から除氷運転に切替わって水皿が所定角度だけ傾動したときに給水管からの給水を開始するようにしたが、水皿の傾動開始と同時に給水を開始するようにしてもよい。
【図面の簡単な説明】
【００３３】
【図１】実施例に係る噴射式自動製氷機の製氷ユニットを、水皿が閉成位置に保持されている状態で示す縦断正面図である。
【図２】実施例に係る噴射式自動製氷機の製氷ユニットを、水皿が閉成位置に保持されている状態で示す正面図である。
【図３】実施例に係る水皿の平面図である。
【図４】実施例に係る水皿の縦断正面図である。
【図５】実施例に係る製氷水タンクの概略斜視図である。
【図６】実施例に係る噴射式自動製氷機の製氷ユニットを、水皿が開放位置に保持されている状態で示す縦断正面図である。
【図７】実施例に係る噴射式自動製氷機の製氷ユニットを、水皿が開放位置に保持されている状態で示す縦断側面図である。
【符号の説明】
【００３４】
１０ 製氷室，１０ａ 製氷小室，１２ 水皿，１４ 製氷水タンク，２６ 噴射孔
２８ 戻り孔，４０ 排出口，４４ 規制板，４４ａ 位置決め部，４６ 通路
Ｓ１ 第１貯留領域(戻り孔群が臨む貯留領域)
Ｓ２ 第２貯留領域(排出口が臨む貯留領域)
【図１】
2008180467.tif 000003
【図２】
2008180467.tif 000004
【図３】
2008180467.tif 000005
【図４】
2008180467.tif 000006
【図５】
2008180467.tif 000007
【図６】
2008180467.tif 000008
【図７】
2008180467.tif 000009